(57)【特許請求の範囲】
【請求項１】
建物内の電気機器の消費電力に関する電力データを取得する電力情報取得部と、
前記電力データは前記電気機器の種類および設置場所に対応付けられており、前記建物内で人の就寝行動があったときの前記電力データに基づく前記電気機器の状態の、前記電気機器の種類および設置場所に応じた時系列的な変化形態を基準データとして記憶する基準記憶部と、
前記電力情報取得部が取得した前記電力データに基づく前記電気機器の状態の変化を前記基準データと比較することによって、前記就寝行動があったか否かを判定する就寝判定部と、
前記就寝判定部の判定結果を通知する通知データを生成する通知データ生成部と、
前記通知データを端末装置へ送信する通信部と
を備え、
前記通知データ生成部は、前記就寝行動があったと判定された場合、現在時刻が前記就寝行動の発生時刻から所定時間以内であれば、前記就寝行動があったことを通知する第１通知データを生成して、前記通信部は、前記第１通知データを端末装置へ送信し、
前記通知データ生成部は、前記就寝行動があったと判定された場合、現在時刻が前記就寝行動の発生時刻から所定時間以上経過していれば、睡眠中であることを通知する第２通知データを生成して、前記通信部は、前記第２通知データを端末装置へ送信する
ことを特徴とする就寝監視装置。
【請求項２】
前記就寝判定部は、前記就寝行動があったという判定結果を、予め決められた時間帯においてのみ有効とすることを特徴とする請求項１記載の就寝監視装置。
【請求項３】
前記通知データの送信を要求する通知要求を取得する要求取得部をさらに備え、
前記就寝判定部は、前記通知要求が取得された場合に、前記電力データの履歴を用いて前記就寝行動があったか否かを判定する判定処理を開始する
ことを特徴とする請求項１または２記載の就寝監視装置。
【請求項４】
前記就寝判定部は、予め決められた所定時刻に前記電力データの履歴を用いて前記就寝行動があったか否かを判定する判定処理を開始することを特徴とする請求項１または２記載の就寝監視装置。
【請求項５】
前記通知データは、前記就寝行動の前後における前記電力データの推移をさらに通知することを特徴とする請求項１乃至４いずれか記載の就寝監視装置。
【請求項６】
前記電力情報取得部が取得した前記電力データの履歴を前記電気機器の種類および設置場所に対応付けて記憶する履歴記憶部と、
前記電力データの履歴に基づいて前記基準データを作成し、この作成した前記基準データを前記基準記憶部に格納する基準データ生成部と
をさらに備えることを特徴とする請求項１乃至５いずれか記載の就寝監視装置。
【請求項７】
前記電力データの履歴を参照して、睡眠中の時間帯を推定する推定部をさらに備え、
前記基準データ生成部は、前記睡眠中の時間帯の開始時刻の前後における前記電力データの履歴に基づいて前記基準データを作成し、この作成した前記基準データを前記基準記憶部に格納する
ことを特徴とする請求項６記載の就寝監視装置。
【請求項８】
前記電気機器は、少なくとも寝室の照明器具であり、
前記就寝判定部は、前記寝室の照明器具の状態が、消灯状態から点灯状態に変化した後、消灯状態に変化すれば、前記寝室において前記就寝行動があったと判定することを特徴とする請求項１乃至７いずれか記載の就寝監視装置。
【請求項９】
前記電力情報取得部は、複数の電気機器のそれぞれの消費電力に関する前記電力データを取得し、
前記基準記憶部は、前記建物内で人の就寝行動があったときの複数の前記電気機器の状態の時系列的な変化形態を前記基準データとして記憶し、
前記就寝判定部は、前記電力情報取得部が取得した前記電力データに基づく複数の前記電気機器の状態の変化を前記基準データと比較することによって、前記就寝行動があったか否かを判定する
ことを特徴とする請求項１乃至８いずれか記載の就寝監視装置。
【請求項１０】
前記就寝判定部は、前記複数の電気機器のうち寝室を除く特定の設置場所の特定の電気機器の状態が、停止状態であり、且つ前記複数の電気機器のうち前記寝室の照明器具の状態が、消灯状態から点灯状態に変化した後に消灯状態に変化すれば、前記寝室において前記就寝行動があったと判定することを特徴とする請求項９記載の就寝監視装置。
【請求項１１】
前記就寝判定部は、前記複数の電気機器のうち寝室を除く特定の設置場所の特定の電気機器の状態が、運転状態から停止状態に変化した後、前記複数の電気機器のうち前記寝室の照明器具の状態が、消灯状態から点灯状態に変化した後に消灯状態に変化すれば、前記寝室において前記就寝行動があったと判定することを特徴とする請求項９記載の就寝監視装置。
【請求項１２】
前記就寝判定部は、前記複数の電気機器のうち、寝室の照明器具の状態が消灯状態から点灯状態に変化した後、消灯状態に変化し、且つ前記複数の電気機器のうち、前記寝室を除く特定の設置場所の特定の電気機器の状態が運転状態である場合、前記寝室において前記就寝行動があったと判定することを特徴とする請求項９記載の就寝監視装置。
【請求項１３】
コンピュータを、請求項１乃至１２いずれか記載の就寝監視装置として機能させることを特徴とするプログラム。
【発明の詳細な説明】
【技術分野】
【０００１】
本発明は、一般に就寝監視装置、およびプログラム、より詳細には電気機器の消費電力に関する電力データを用いた就寝監視装置、およびプログラムに関する。
【背景技術】
【０００２】
従来、高齢者や独居人等の見守りを目的として、家屋毎の消費電流の電力スペクトルを分析して、生活パターンを分析する技術がある（例えば、特許文献１参照）。
【先行技術文献】
【特許文献】
【０００３】
【特許文献１】特開平４−３２４３７２号公報
【発明の概要】
【発明が解決しようとする課題】
【０００４】
一般に、家人の就寝中に帰宅する場合、家人の睡眠を妨げないように帰宅することが好ましい。しかしながら、特許文献１の技術では、家人の就寝行動を検知することに関して十分に開示されていない。
【０００５】
本発明は、上記事由に鑑みてなされており、その目的は、消費電力に関する電力データを用いて、建物内の人の就寝行動を検知できる就寝監視装置、およびプログラムを提供することにある。
【課題を解決するための手段】
【０００６】
本発明の就寝監視装置は、建物内の電気機器の消費電力に関する電力データを取得する電力情報取得部と、前記電力データは前記電気機器の種類および設置場所に対応付けられており、前記建物内で人の就寝行動があったときの前記電力データに基づく前記電気機器の状態の、前記電気機器の種類および設置場所に応じた時系列的な変化形態を基準データとして記憶する基準記憶部と、前記電力情報取得部が取得した前記電力データに基づく前記電気機器の状態の変化を前記基準データと比較することによって、前記就寝行動があったか否かを判定する就寝判定部と、前記就寝判定部の判定結果を通知する通知データを生成する通知データ生成部と、前記通知データを端末装置へ送信する通信部とを備え、前記通知データ生成部は、前記就寝行動があったと判定された場合、現在時刻が前記就寝行動の発生時刻から所定時間以内であれば、前記就寝行動があったことを通知する第１通知データを生成して、前記通信部は、前記第１通知データを端末装置へ送信し、前記通知データ生成部は、前記就寝行動があったと判定された場合、現在時刻が前記就寝行動の発生時刻から所定時間以上経過していれば、睡眠中であることを通知する第２通知データを生成して、前記通信部は、前記第２通知データを端末装置へ送信することを特徴とする。
【０００７】
本発明のプログラムは、コンピュータを、就寝監視装置として機能させることを特徴とする。
【発明の効果】
【０００８】
以上説明したように、本発明の就寝監視装置、およびプログラムは、消費電力に関する電力データを用いて、建物内の人の就寝行動を検知できるという効果がある。
【図面の簡単な説明】
【０００９】
【図１】実施形態１のシステム構成を示すブロック図である。
【図２】実施形態１の動作を示すフローチャートである。
【図３】実施形態１の要求送信画面を示す図である。
【図４】実施形態１の建物の間取りを示す平面図である。
【図５】実施形態１の通知画面を示す図である。
【図６】Ａ，Ｂ  実施形態１の別の通知画面を示す図である。
【図７】実施形態２のシステム構成を示すブロック図である。
【発明を実施するための形態】
【００１０】
以下、本発明の実施の形態を図面に基づいて説明する。
【００１１】
（実施形態１）
図１は、本実施形態の就寝監視装置１を用いた就寝監視システムの構成を示す。この就寝監視システムは、就寝監視装置１、分電盤２、コントローラ３、管理サーバ４、端末装置５を主構成として備える。そして、就寝監視装置１は、建物１００内の電気機器６の消費電力に基づいて、建物１００内における人（家人）の就寝行動の有無を監視する機能を有する。建物１００は、集合住宅の各住戸、戸建住宅等である。
【００１２】
分電盤２は、建物１００内に引き込まれたＡＣ１００／２００Ｖの幹線回路９１が接続され、幹線回路９１を介して、電力会社の電力系統から商用電力が供給される。分電盤２は、分岐部２１、電力計測部２２を備える。分岐部２１は、複数の分岐ブレーカを備えており、幹線回路９１は、分岐部２１を介して、需要家内に敷設した複数の分岐回路９２に分岐する。電力計測部２２は、幹線回路９１から供給される電力（主幹電力）、および分岐回路９２のそれぞれで消費される電力（分岐電力）を計測する機能と、コントローラ３との間で通信（有線または無線）を行う機能とを有する。この電力計測部２２は、幹線回路９１の電流、および分岐回路９２のそれぞれの電流を測定するロゴスキーコイルまたは変流器を備える。また、電力計測部２２は、分電盤２の外部に設けられてもよい。また、電力計測部２２は、無線通信を行う場合、通信媒体として電波信号、あるいは赤外線信号を用いる。電波信号としては、４００ＭＨｚ帯や９００ＭＨｚ帯の小電力無線、Ｂｌｕｅｔｏｏｔｈ（登録商標）、ＺｉｇＢｅｅ（登録商標）、無線ＬＡＮ等が用いられる。
【００１３】
そして、分岐回路９２のそれぞれは、空調装置、照明器具、テレビ等の電気機器６が１つ以上接続され、分岐回路９２はこれらの電気機器６へ動作電力を供給する。また、幹線回路９１および分岐回路９２には、太陽光発電装置、燃料電池、風力発電装置等の分散電源の発電電力、蓄電池の放電電力が供給されてもよい。分岐回路９２は、配電線、コンセント等の配線器具で構成される。
【００１４】
コントローラ３は、例えばＨＥＭＳコントローラであって、電力データ生成部３１と、電力データ送信部３２とを備える。コントローラ３は、さらに機器監視部３３を備えることが好ましい。
【００１５】
電力データ生成部３１は、電力計測部２２から分岐電力の測定データを受信し、この分岐電力の測定データから電気機器６毎の消費電力のデータ（電力データ）を生成する。具体的に、電力データ生成部３１は、分岐電力の測定データの時間領域における波形解析、周波数領域における周波数解析によって、電気機器６毎の消費電力の変動を抽出して、電気機器６毎の電力データを生成できる。さらに、電力データ生成部３１は、分岐回路９２のそれぞれに接続されている電気機器６毎に、電気機器６の種類、設置場所、運転時および停止時の消費電力の変動形態を予め記憶している。したがって、電力データ生成部３１は、抽出した消費電力の変動に対応する電気機器６の種類および設置場所を判別でき、電力データに電気機器６の種類および設置場所の各情報を付加することができる。
【００１６】
また、電気機器６は、コントローラ３との間で通信（有線または無線）を行う機能を備えて、自己の運転、停止（オン、オフ）の各状況をコントローラ３へ送信することが好ましい。この場合、電力データ生成部３１は、電気機器６の運転、停止の各状況と、分岐電力の測定データの解析結果とに基づいて、電気機器６毎の消費電力の変動を抽出して、電気機器６毎の電力データを生成できる。
【００１７】
また、電気機器６は、コントローラ３との間で通信を行う機能に加えて、自己の消費電力を計測する機能をさらに備えることも好ましい。この場合、電力データ生成部３１は、電気機器６から受信した電気機器６消費電力の計測結果に基づいて、電気機器６毎の電力データを生成できる。
【００１８】
なお、電力データは、電気機器６毎の消費電力の単位時間当たり（例えば、１秒〜６０秒の秒単位、あるいは１分〜６０分の分単位）の積算値を表すデータ等である。
【００１９】
そして、電力データ送信部３２は、電力データを管理サーバ４へ送信する。電力データ生成部３１は、リアルタイムクロックの機能を有しており、電力データの測定時刻情報を電力データに付加する。電力データ送信部３２は、インターネット等の広域ネットワーク８（公衆回線網）にルータ５００を介して通信可能に接続している。そして、電力データ送信部３２は、広域ネットワーク８上の管理サーバ４との間で通信が可能になり、電力データを管理サーバ４へ送信する。電力データ送信部３２が送信する電力データには、建物１００に割り付けられた顧客情報や、測定時刻情報が付加されている。顧客情報には、建物１００のＩＤ情報が含まれる。
【００２０】
機器監視部３３は、ルータ５００を介して電気機器６の動作を監視、制御しており、電力データを併せて用いることで、ＨＥＭＳ（Home Energy Management System）を構築することができる。ＨＥＭＳにおいて、機器監視部３３は、電力データを適宜の提示装置に提示することによって、電力消費量を見える化する機能を有する。またＨＥＭＳにおいて、機器監視部３３は、電力データに基づいて、省電力化を目的とした電気機器６の制御を行う機能を有する。すなわち、コントローラ３は、ＨＥＭＳコントローラとしても機能する。
【００２１】
管理サーバ４は、広域ネットワーク８を通して電力データ送信部３２から電力データを受信し、建物１００の顧客情報に対応させて電力データを格納する。すなわち、管理サーバ４は、建物１００の電気機器６毎の電力データの履歴が格納されている。なお、図１では、１つの建物１００のみを記載しているが、複数の建物を契約対象として、建物のそれぞれにおける電力データの履歴が、建物のそれぞれの顧客情報に対応させて管理サーバ４に格納されている。
【００２２】
また、電力データ送信部３２は、通信トラフィックを低減させるために、電力データに所定量以上の変化があった場合のみ、管理サーバ４へ電力データを送信してもよい。すなわち、管理サーバ４では、電力データを受信していない期間は、当該期間の前後の電力データを用いて補間することで、連続的な電力データの履歴を格納している。
【００２３】
就寝監視装置１は、広域ネットワーク８を用いたネットワーク通信が可能に構成されている。就寝監視装置１は、分析サーバ１１と、アプリケーションサーバ１２（以降、アプリサーバ１２と略称する）とで構成されており、分析サーバ１１とアプリサーバ１２とは、広域ネットワーク８を通して互いに通信を行うことができる。
【００２４】
分析サーバ１１は、通信部１１１と、電力情報取得部１１２と、基準記憶部１１３と、就寝判定部１１４とを備える。また、分析サーバ１１は、履歴記憶部１１５と、基準データ生成部１１６と、推定部１１７とをさらに備えることが好ましい。
【００２５】
通信部１１１は、広域ネットワーク８を通してネットワーク通信を行う機能を有する。
【００２６】
電力情報取得部１１２は、電力データを管理サーバ４から通信部１１１を介して取得して、取得した電力データの履歴を履歴記憶部１１５に格納する。電力データには、電気機器６の種類および設置場所の各情報が付加されており、履歴記憶部１１５に格納された電力データには、電気機器６の種類および設置場所の各情報が対応付けられている。
【００２７】
基準記憶部１１３は、基準データを顧客情報に対応させて記憶している。基準データは、就寝判定部１１４が人の就寝行動の有無を判定するときに用いられるデータである。電力データは、電気機器６の種類および設置場所に対応付けられており、基準データは、建物（例えば建物１００）内で人の就寝行動があったときの電力データに基づく電気機器６の状態の、電気機器６の種類および設置場所に応じた時系列的な変化形態である。
【００２８】
就寝行動とは、人が寝具に入るまでに行われる一連の行動であり、一般に、就寝行動は、就寝行動を行う人の属性（家族構成、個人属性、建物１００の間取り等）によって異なる。すなわち、人の就寝行動があったときに発生する電気機器６の状態変化は、就寝行動を行う人の属性によって、電気機器６の種類および設置場所毎にほぼ決まっている。基準データとは、この就寝行動を行う人の属性によって決まる電気機器６の状態変化の基準形態である。
【００２９】
就寝判定部１１４は、電力情報取得部１１２が取得した電力データに基づく電気機器６の状態と基準記憶部１１３の基準データとを比較することで、家人の就寝行動があったか否かを判定することができる。通信部１１１は、就寝判定部１１４の判定結果を送信する。なお、基準記憶部１１３には、複数の建物のそれぞれにおける基準データが、建物のそれぞれの顧客情報に対応させて格納されている。
【００３０】
アプリサーバ１２は、通信部１２１と、要求取得部１２２と、通知データ生成部１２３とを備える。
【００３１】
通信部１２１は、広域ネットワーク８を通してネットワーク通信を行う機能を有する。要求取得部１２２は、就寝行動判定の通知要求を端末装置５から通信部１２１を介して取得することができる。通知データ生成部１２３は、就寝判定部１１４の判定結果を分析サーバ１１から通信部１２１を介して取得することができる。さらに通知データ生成部１２３は、就寝判定部１１４の判定結果を通知する通知データを生成する。通信部１２１は、通知データを端末装置５へ送信する。
【００３２】
端末装置５は、携帯電話、スマートフォン、タブレット端末等のようにユーザが携行可能な携帯端末であり、アプリサーバ１２から広域ネットワーク８を通して受信した通知データを画面に表示できる。
【００３３】
以下、本実施形態の就寝監視システムの動作について、図２のフローチャートを用いて詳述する。
【００３４】
勤務先等から建物１００に帰宅するユーザ（父親）は、建物１００内の家人が就寝しているか否かを知るために、端末装置５を操作して、建物１００のＩＤ情報を付加した通知要求をアプリサーバ１２へ送信する。この通知要求は、建物１００内における就寝行動の有無判定を要求するコマンドである。図３は、端末装置５の画面に表示される要求送信画面の一例であり、確認ボタンＢ１が押操作されることで、端末装置５から通知要求が送信される。なお、図３は、子供の就寝行動の有無判定を要求する要求送信画面２０１を示しており、ユーザは、確認ボタンＢ１を押操作することで、端末装置５から通知要求を送信させることができる。
【００３５】
アプリサーバ１２の要求取得部１２２は、通信部１２１を通して通知要求を取得すると（Ｓ１）、この通知要求を通信部１２１を通して分析サーバ１１へ転送する（Ｓ２）。
【００３６】
分析サーバ１１では、通信部１１１が通知要求を受信すると、電力情報取得部１１２が、建物１００における電力データを対象とするデータ要求を、通信部１１１から管理サーバ４へ送信させる（Ｓ３）。なお、データ要求には、建物１００のＩＤ情報が付加されている。
【００３７】
管理サーバ４は、データ要求を受信すると、データ要求の受信時刻より所定時間前からの建物１００における電力データの履歴を送信し、さらにデータ要求の受信時刻以降に受信した建物１００の電力データの履歴も分析サーバ１１へ順次送信する処理を開始する。すなわち、分析サーバ１１の電力情報取得部１１２は、建物１００内の電気機器６の各電力データを、管理サーバ４から通信部１１１を介して取得する（Ｓ４）。
【００３８】
そして、就寝判定部１１４は、電力データに基づく電気機器６の状態の時系列的な変化形態を基準記憶部１１３の基準データと比較して、家人の就寝行動があったか否かを判定する（Ｓ５）。ここで、電力データは、電気機器６の種類および設置場所の各情報が付加されており、就寝判定部１１４は、受信した電力データに付加されたこれらの情報に基づいて、電力データに対応する電気機器６の種類および設置場所を認識できる。なお、電気機器６の種類には、照明器具、空調装置等があり、電気機器６の設置場所には、玄関、居間、台所、トイレ、風呂、洗面所、子供部屋、両親の寝室等がある。
【００３９】
建物１００の間取りの一例を図４に示す。建物１００は、玄関１００ａ、居間１００ｂ、台所１００ｃ、トイレ１００ｄ、風呂１００ｅ、洗面所１００ｆ、子供部屋１００ｇ、両親の寝室１００ｈの各部屋があり、廊下１００ｉが各部屋をつないでいる。
【００４０】
そして、玄関１００ａには照明器具６１ａが設置され、居間１００ｂには照明器具６１ｂが設置され、台所１００ｃには照明器具６１ｃが設置されている。さらに、トイレ１００ｄには照明器具６１ｄが設置され、風呂１００ｅには照明器具６１ｅが設置され、洗面所１００ｆには照明器具６１ｆが設置されている。さらに、子供部屋１００ｇには照明器具６１ｇが設置され、両親の寝室１００ｈには照明器具６１ｈが設置されている。
【００４１】
また、居間１００ｂには空調装置６２ｂが設置され、子供部屋１００ｇには空調装置６２ｇが設置され、両親の寝室１００ｈには空調装置６２ｈが設置されている。
【００４２】
ここで、照明器具６１ａ〜６１ｈを区別しない場合、照明器具６１と称す。また、空調装置６２ｂ，６２ｇ，６２ｈを区別しない場合、空調装置６２と称す。さらに、照明器具６１および空調装置６２を区別しない場合、電気機器６と称す。なお、電気機器６は、照明器具６１、空調装置６２に限定されず、他の電気機器（例えば、テレビ、パーソナルコンピュータ等）も含まれる。
【００４３】
就寝行動の第一例としては、子供部屋１００ｇにおける行動がある。例えば、子供が子供部屋１００ｇに入って、消灯状態の照明器具６１ｇを点灯させ、寝る準備が完了した後に照明器具６１ｇを消灯させる。この場合の基準データは、照明器具６１ｇの状態の変化形態を消費電力によって示しており、照明器具６１ｇの消費電力が、閾値未満の状態（消灯状態）から閾値以上の状態（点灯状態）になり、その後閾値未満になる。
【００４４】
就寝行動の第二例としては、居間１００ｂ、洗面所１００ｆ、子供部屋１００ｇにおける行動がある。例えば、子供が、居間１００ｂの点灯中の照明器具６１ｂを消灯させた後に、洗面所１００ｆの照明器具６１ｆを点灯させて歯を磨いた後に照明器具６１ｆを消灯させる。そして、子供が子供部屋１００ｇに入って、消灯状態の照明器具６１ｇを点灯させ、寝る準備が完了した後に照明器具６１ｇを消灯させる。この場合の基準データは、照明器具６１ｂ，６１ｆ，６１ｇの状態の変化形態を消費電力によって示している。具体的には、照明器具６１ｂの消費電力が、閾値以上の状態（点灯状態）から閾値未満の状態（消灯状態）になった後、照明器具６１ｆの消費電力が、閾値未満の状態（消灯状態）から閾値以上の状態（点灯状態）になり、その後閾値未満になる。次に、照明器具６１ｇの消費電力が、閾値未満の状態（消灯状態）から閾値以上の状態（点灯状態）になり、その後閾値未満になる。
【００４５】
就寝行動の第三例としては、居間１００ｂ、寝室１００ｈにおける行動がある。例えば、母親が、居間１００ｂの点灯中の照明器具６１ｂを消灯させ、寝室１００ｈに入って、消灯状態の照明器具６１ｈを点灯させ、寝る準備が完了した後に照明器具６１ｈを消灯させる。この場合の基準データは、照明器具６１ｂ，６１ｈの各状態の変化形態を消費電力によって示している。具体的には、照明器具６１ｂの消費電力が、閾値以上の状態（点灯状態）から閾値未満の状態（消灯状態）になった後、照明器具６１ｈの消費電力が、閾値未満の状態（消灯状態）から閾値以上の状態（点灯状態）になり、その後閾値未満になる。
【００４６】
また、上述の第三例の基準データとしては、以下の形態であってもよい。照明器具６１ｂの消費電力が閾値未満の状態（消灯状態）であり、且つ照明器具６１ｈの消費電力が、閾値未満の状態（消灯状態）から閾値以上の状態（点灯状態）になり、その後閾値未満になる。
【００４７】
就寝行動の第四例としては、居間１００ｂ、寝室１００ｈにおける別の行動がある。例えば、母親が、帰宅する父親のために居間１００ｂの空調装置６２ｂを運転状態にしたまま、就寝する。具体的に、母親は、居間１００ｂの空調装置６２ｂを運転状態としたまま、寝室１００ｈに入って、消灯状態の照明器具６１ｈを点灯させ、寝る準備が完了した後に照明器具６１ｈを消灯させる。この場合の基準データは、照明器具６１ｈ、空調装置６２ｂの各状態の変化形態を消費電力によって示している。具体的には、空調装置６２ｂの消費電力が閾値以上（運転状態）であり、且つ、照明器具６１ｈの消費電力が、閾値未満の状態（消灯状態）から閾値以上の状態（点灯状態）になり、その後閾値未満になる。
【００４８】
就寝行動の第五例としては、帰宅する父親のために居間１００ｂの空調装置６２ｂを運転状態にしたまま、居間１００ｂの照明器具６１ｂを消灯させた後に、就寝する場合がある。具体的に、母親は、居間１００ｂの空調装置６２ｂを運転状態に維持して、居間１００ｂの点灯中の照明器具６１ｂを消灯させる。そして、母親は、寝室１００ｈに入って、消灯状態の照明器具６１ｈを点灯させ、寝る準備が完了した後に照明器具６１ｈを消灯させる。この場合の基準データは、照明器具６１ｂ，６１ｈ、空調装置６２ｂの各状態の変化形態を消費電力によって示している。具体的には、空調装置６２ｂの消費電力が閾値以上（運転状態）である。且つ、照明器具６１ｂの消費電力が、閾値以上の状態（点灯状態）から閾値未満の状態（消灯状態）になった後、照明器具６１ｈの消費電力が、閾値未満の状態（消灯状態）から閾値以上の状態（点灯状態）になり、その後閾値未満になる。
【００４９】
基準データは、上述の第一例〜第五例に限らず、人の就寝行動があったときに発生する電力データの時系列的な変化形態を示すデータであればよい。すなわち、基準データを構成する具体的な電気機器６の種類、設置場所、状態（消費電力）の変化形態は限定されない。
【００５０】
就寝判定部１１４は、電力データの変化形態を基準記憶部１１３の基準データと比較するパターン認識処理によって、家人の就寝行動があったか否かを判定することが可能となる。就寝判定部１１４は、電気機器６の状態の時系列的な変化形態と基準データとの類似度が閾値以上であれば、家人の就寝行動があったと判定する。さらに、就寝行動時における電気機器６の状態の一連の変化に要する時間には、ばらつきが発生することが考えられるが、就寝判定部１１４は、電力データに対して正規化処理等を施すことによって、判定精度の向上を図ることができる。
【００５１】
また、基準記憶部１１３に複数の基準データを格納させて、就寝判定部１１４は、電気機器６の状態の時系列的な変化形態との類似度が閾値以上になる基準データがある場合に、家人の就寝行動があったと判定してもよい。
【００５２】
さらに、就寝判定部１１４は、家人の就寝行動があったと判定した場合、就寝行動の検知時刻が、予め決められた時間帯（例えば、夜間の午後９時〜翌日の午前６時）内である場合のみに、この判定結果を有効とすることが好ましい。すなわち、夜間以外の家人の行動によっては、就寝行動ではなくても電気機器６の状態変化が基準データに類似することが起こり得る。そこで、就寝判定部１１４は、家人の就寝行動があったと判定した場合、就寝行動の検知時刻が予め決められた時間帯内でなければ、この判定結果を無効とすることで、就寝行動の誤判定を抑制している。
【００５３】
そして、就寝判定部１１４は、建物１００内で家人の就寝行動があったと判定すると、通信部１１１を介してアプリサーバ１２へ判定通知を送信する（Ｓ６）。この判定通知には、建物１００内で就寝行動があった家人の情報、就寝行動の前後における電力データの推移を示す電力変動情報が含まれている。
【００５４】
アプリサーバ１２では、通信部１２１が判定通知を受信すると、通知データ生成部１２３が、判定通知に基づいて、就寝判定部１１４の判定結果を通知する通知データを生成する（Ｓ７）。就寝判定部１１４が子供の就寝行動を検知した場合、子供の就寝行動の検知時刻、就寝状態の継続期間、就寝行動の前後における電力データの推移を表示する通知データが生成される（図５参照）。
【００５５】
そして、通信部１２１は、通知データ生成部１２３が生成した通知データを端末装置５へ送信する（Ｓ８）。通知データを受信した端末装置５は、図５に示すように、通知データを通知する通知画面２０２を表示する。通知画面２０２において、就寝行動の検知時刻、就寝状態の継続期間は、グラフ２０２ａで表され、就寝行動の前後における電力データの推移は、グラフ２０２ｂで表される。
【００５６】
通知画面２０２を見たユーザは、子供が就寝行動をとったことを認識して、建物１００への帰宅時に子供の就寝を邪魔しないように静かに帰宅するという対応をとることができる。
【００５７】
なお、就寝判定部１１４は、家人の就寝行動がないと判定した場合、通信部１１１を介してアプリサーバ１２へ、家人が就寝していない旨の判定通知を送信してもよい。この場合、通知データ生成部１２３は、家人が就寝していない旨の判定結果を通知する通知データを生成し、通信部１２１は、この通知データを端末装置５へ送信する。そして、この通知データを受信した端末装置５は、家人が就寝していない旨のメッセージを含む通知画面を表示する。また、判定通知には、現在時刻までの電力データの推移を示す電力変動情報が含まれていてもよく、この場合の通知画面には、現在時刻までの電力データの推移がグラフ表示される。
【００５８】
また、分析サーバ１１では、予め決められた時刻になると、電力情報取得部１１２が、建物１００における電力データを対象とするデータ要求を、通信部１１１から管理サーバ４へ送信させてもよい。そして、分析サーバ１１の電力情報取得部１１２は、建物１００内の電気機器６の各電力データを、管理サーバ４から通信部１１１を介して取得する。そして、就寝判定部１１４は、電力データに基づく電気機器６の状態の時系列的な変化形態を基準記憶部１１３の基準データと比較して、家人の就寝行動があったか否かを判定する。
【００５９】
すなわち、就寝判定部１１４は、決まった時刻になると、電気機器６の状態の時系列的な変化形態を基準記憶部１１３の基準データと比較して、家人の就寝行動があったか否かを判定する。
【００６０】
あるいは、通知データ生成部１２３は、以下の通知データを生成してもよい。
【００６１】
まず、通知データ生成部１２３は、就寝行動があったと判定された場合、現在時刻が就寝行動の発生時刻から所定時間以内（例えば、３０分以内）であるか否かを判定する。そして、通知データ生成部１２３は、現在時刻が就寝行動の発生時刻から所定時間以内であれば、就寝行動があったことを通知する第１通知データを生成する。そして、通信部１２１は、通知データ生成部１２３が生成した第１通知データを端末装置５へ送信する。第１通知データを受信した端末装置５は、図６Ａに示すように、第１通知データを通知する通知画面２１１を表示し、子供が就寝行動をとったことをユーザへ通知する。通知画面２１１において、就寝行動の前後における電力データの推移は、グラフ２１１ａで表される。
【００６２】
また、通知データ生成部１２３は、現在時刻が就寝行動の発生時刻から所定時間を超えていれば、睡眠中であることを通知する第２通知データを生成する。そして、通信部１２１は、通知データ生成部１２３が生成した第２通知データを端末装置５へ送信する。第２通知データを受信した端末装置５は、図６Ｂに示すように、第２通知データを通知する通知画面２１２を表示し、子供が睡眠中であることをユーザへ通知する。
【００６３】
すなわち、通知データ生成部１２３は、就寝行動の発生時刻から所定時間以内に通知データを生成する場合、就寝行動があったことをユーザへ通知する。一方、通知データ生成部１２３は、就寝行動の発生時刻から所定時間が経過した後に通知データを生成する場合、睡眠中であることをユーザへ通知する。
【００６４】
したがって、ユーザは、就寝行動をとった子供の状態（就寝行動をとってから間がない状態、睡眠中であると推測される状態）を把握できる。
【００６５】
また、分析サーバ１１は、履歴記憶部１１５と、基準データ生成部１１６と、推定部１１７とをさらに備えており、基準データを作成することができる。
【００６６】
まず、履歴記憶部１１５は、電力情報取得部１１２が取得した電力データを順次記憶しており、電力データの履歴が格納される。そして、推定部１１７は、電力データの履歴を参照して、家人の睡眠中の時間帯（睡眠時間帯）を推定する。例えば、推定部１１７は、電気機器６の消費電力が所定時間以上継続して変動しない場合、または電気機器６の消費電力が所定時間以上継続して閾値未満となっている場合、この期間を睡眠時間帯と推定する。推定部１１７が睡眠時間帯の推定処理に用いる電気機器６は、予め決められた電気機器６（例えば、照明器具６１、空調装置６２）である。
【００６７】
そして、推定部１１７は、所定期間（例えば、１００日間）に亘って、各日の睡眠時間帯を推定する。
【００６８】
基準データ生成部１１６は、推定された睡眠時間帯の開始時刻の前後（例えば、前後３時間）における電力データに基づく電気機器６の状態の時系列的な変化形態を、履歴記憶部１１５を参照して所定期間（例えば、１００日間）に亘って抽出する。基準データ生成部１１６は、複数日の電力データの時系列的な変化形態に対して統計処理を施すことによって、建物１００に適用する基準データを作成することができる。
【００６９】
したがって、基準データ生成部１１６は、建物１００の実際の電力データの履歴に基づいて、建物１００に適用する基準データを作成するので、基準データを用いた就寝行動の有無判定の精度を向上させることができる。
【００７０】
上述のように、本実施形態の就寝監視装置１は、電力情報取得部１１２と、基準記憶部１１３と、就寝判定部１１４と、通知データ生成部１２３と、通信部１２１とを備える。電力情報取得部１１２は、建物１００内の電気機器６の消費電力に関する電力データを取得する。電力データは電気機器６の種類および設置場所に対応付けられており、基準記憶部１１３は、建物１００内で人の就寝行動があったときの電力データに基づく電気機器６の状態の、電気機器６の種類および設置場所に応じた時系列的な変化形態を基準データとして記憶する。就寝判定部１１４は、電力情報取得部１１２が取得した電力データに基づく電気機器６の状態の変化を基準データと比較することによって、就寝行動があったか否かを判定する。通知データ生成部１２３は、就寝判定部１１４の判定結果を通知する通知データを生成する。通信部１２１は、通知データを端末装置５へ送信する。
【００７１】
したがって、就寝監視装置１は、消費電力に関する電力データを用いて建物１００内で就寝行動が発生したか否かを判定でき、この判定結果をユーザへ通知できる。すなわち、就寝監視装置１は、消費電力に関する電力データを用いて、建物１００内の人の就寝行動を検知できる。
【００７２】
また、就寝判定部１１４は、就寝行動があったという判定結果を、予め決められた時間帯においてのみ有効とすることが好ましい。この場合、就寝監視装置１は、就寝行動の誤判定を抑制することができる。
【００７３】
また、通知データ生成部１２３は、就寝行動があったと判定された場合、現在時刻が就寝行動の発生時刻から所定時間以内であれば、就寝行動があったことを通知する第１通知データを生成して、通信部１２１は、第１通知データを端末装置５へ送信する。通知データ生成部１２３は、就寝行動があったと判定された場合、現在時刻が就寝行動の発生時刻から所定時間以上経過していれば、睡眠中であることを通知する第２通知データを生成して、通信部１２１は、第２通知データを端末装置５へ送信する。
【００７４】
したがって、ユーザは、就寝行動をとった家人の現在の状態（就寝行動をとってから時間が経過していない状態、就寝行動をとってから時間が経過して就寝中であると推測される状態）を把握できる。
【００７５】
また、就寝監視装置１は、通知データの送信を要求する通知要求を取得する要求取得部１２２をさらに備えることが好ましい。この場合、就寝判定部１１４は、通知要求が取得された場合に、電力データの履歴を用いて就寝行動があったか否かを判定する判定処理を開始する。
【００７６】
したがって、ユーザは、任意のタイミングで、就寝行動の判定結果を取得することができる。
【００７７】
また、就寝判定部１１４は、予め決められた所定時刻に電力データの履歴を用いて就寝行動があったか否かを判定する判定処理を開始することも好ましい。
【００７８】
したがって、ユーザは、就寝行動の判定結果を定期的に取得することができる。
【００７９】
また、通知データは、就寝行動の前後における電力データの推移をさらに通知することが好ましい。この場合、ユーザは、電気機器６の状態に基づいて、就寝行動の有無を判断することができる。
【００８０】
また、就寝監視装置１は、履歴記憶部１１５と、基準データ生成部１１６とをさらに備えることが好ましい。履歴記憶部１１５は、電力情報取得部１１２が取得した電力データの履歴を前記電気機器の種類および設置場所に対応付けて記憶する。基準データ生成部１１６は、電力データの履歴に基づいて基準データを作成し、この作成した基準データを基準記憶部１１３に格納する。
【００８１】
さらに、就寝監視装置１は、推定部１１７をさらに備えることが好ましい。この場合、基準データ生成部１１６は、睡眠中の時間帯の開始時刻の前後における電力データの履歴に基づいて基準データを作成し、この作成した基準データを基準記憶部１１３に格納する。
【００８２】
したがって、基準データは、実際の電力データの履歴に基づいて作成されるので、基準データを用いた就寝行動の有無判定の精度を向上させることができる。
【００８３】
また、本実施形態では、サーバを用いて就寝監視システムを構成するので、例えばクラウドコンピューティング（Cloud Computing）の技術を用いて、複数の建物を監視対象として、監視サービスを提供することができる。したがって、建物１００内の環境を簡略化して、大規模なシステムを構築することができる。
【００８４】
また、電気機器６は、少なくとも寝室１００ｈの照明器具６１ｈであることが好ましい。この場合、就寝判定部１１４は、寝室１００ｈの照明器具６１ｈの状態が、消灯状態から点灯状態に変化した後、消灯状態に変化すれば、寝室１００ｈにおいて就寝行動があったと判定する。
【００８５】
また、電力情報取得部１１２は、複数の電気機器６のそれぞれの消費電力に関する電力データを取得することが好ましい。基準記憶部１１３は、建物１００内で人の就寝行動があったときの複数の電気機器６の状態の時系列的な変化形態を基準データとして記憶する。就寝判定部１１４は、電力情報取得部１１２が取得した複数の電力データに基づく複数の電気機器６の状態の変化を基準データと比較することによって、就寝行動があったか否かを判定する。
【００８６】
また、就寝判定部１１４は、以下の判定処理を行うことが好ましい。まず、複数の電気機器６のうち寝室１００ｈを除く特定の設置場所の特定の電気機器６の状態が、停止状態である。且つ、複数の電気機器６のうち寝室１００ｈの照明器具６１ｈの状態が、消灯状態から点灯状態に変化した後に消灯状態に変化すれば、就寝判定部１１４は、寝室１００ｈにおいて就寝行動があったと判定する。
【００８７】
また、就寝判定部１１４は、以下の判定処理を行うことも好ましい。まず、複数の電気機器６のうち寝室１００ｈを除く特定の設置場所の特定の電気機器６の状態が、運転状態から停止状態に変化する。その後、複数の電気機器６のうち寝室１００ｈの照明器具６１ｈの状態が、消灯状態から点灯状態に変化した後に消灯状態に変化すれば、就寝判定部１１４は、寝室１００ｈにおいて就寝行動があったと判定する。
【００８８】
また、就寝判定部１１４は、以下の判定処理を行うことも好ましい。まず、複数の電気機器６のうち、寝室１００ｈの照明器具６１ｈの状態が消灯状態から点灯状態に変化した後、消灯状態に変化する。且つ複数の電気機器６のうち、寝室１００ｈを除く特定の設置場所の特定の電気機器６の状態が運転状態である場合、就寝判定部１１４は、寝室１００ｈにおいて就寝行動があったと判定する。
【００８９】
したがって、就寝監視装置１は、様々な就寝行動の発生を検知することができ、汎用性が向上する。
【００９０】
なお、本実施形態では、就寝監視装置１を２つのサーバ（分析サーバ１１、アプリサーバ１２）で構成しているが、１つのサーバ、３つ以上のサーバで就寝監視装置１を構成してもよい。
【００９１】
（実施形態２）
図７は、本実施形態のコントローラ３Ａを用いた就寝監視システムの構成を示しており、コントローラ３Ａが就寝監視装置１Ａを構成する。
【００９２】
コントローラ３Ａは、通信部３０１、電力データ生成部３０２、電力情報取得部３０３、要求取得部３０４、基準記憶部３０５、就寝判定部３０６、通知データ生成部３０７、履歴記憶部３０８、基準データ生成部３０９、推定部３１０、機器監視部３１１を備える。
【００９３】
通信部３０１は、広域ネットワーク８にルータ５００を介して通信可能に接続している。この通信部３０１は、広域ネットワーク８を通してネットワーク通信を行う機能を有しており、端末装置５との間で広域ネットワーク８を通した通信を行うことができる。電力データ生成部３０２は、電力計測部２２から分岐電力の測定データを受信し、この分岐電力の計測データから電気機器６毎の消費電力のデータ（電力データ）を生成する。電力情報取得部３０３は、電力データ生成部３０２から電力データを取得して、取得した電力データの履歴を履歴記憶部３０８に格納する。要求取得部３０４は、就寝行動判定の通知要求を端末装置５から通信部３０１を介して取得することができる。基準記憶部３０５は、基準データを顧客情報に対応させて記憶している。基準データは、就寝判定部３０６が人の就寝行動の有無を判定するときに用いるデータである。就寝判定部３０６は、電力情報取得部１１２が取得した電力データに基づく電気機器６の状態変化と基準記憶部１１３の基準データとを比較することで、家人の就寝行動があったか否かを判定することができる。通知データ生成部３０７は、就寝判定部１１４の判定結果を通知する通知データを生成する。通信部３０１は、通知データを端末装置５へ送信する。
【００９４】
さらに、履歴記憶部３０８は、電力情報取得部３０３が取得した電力データを順次記憶しており、電力データの履歴が格納されている。そして、推定部３１０は、電力データの履歴を参照して、家人の睡眠中の時間帯（睡眠時間帯）を推定する。そして、基準データ生成部３０９は、履歴記憶部３０８を参照して、推定された睡眠時間帯の開始時刻の前後（例えば、前後３時間）における電力データに基づく電気機器６の状態の時系列的な変化形態を、所定期間（例えば、１００日間）に亘って抽出する。基準データ生成部３０９は、複数の日のそれぞれにおける電力データの時系列的な変化形態に対して統計処理を施すことによって、建物１００に適用する基準データを作成することができる。
【００９５】
すなわち、コントローラ３Ａは、実施形態１の分析サーバ１１およびアプリサーバ１２の各機能も備えるものであり、コントローラ３Ａは就寝監視装置として機能する。
【００９６】
さらに機器監視部３１１は、ルータ５００を介して電気機器６の動作を監視、制御しており、電力データを併せて用いることで、ＨＥＭＳ（Home Energy Management System）を構築することができる。ＨＥＭＳにおいて、機器監視部３１１は、電力データを適宜の提示装置に提示することによって、電力消費量を見える化する機能を有する。またＨＥＭＳにおいて、機器監視部３１１は、電力データに基づいて、省電力化を目的とした電気機器６の制御を行う機能を有する。すなわち、コントローラ３Ａは、ＨＥＭＳコントローラとしても機能する。
【００９７】
なお、実施形態１の就寝監視装置１を用いた就寝監視システムと同様の構成には同一の符号を付して、説明は省略する。
【００９８】
本実施形態では、建物１００内のコントローラ３Ａを用いて就寝監視システムを構成するので、本実施形態の就寝監視システムは、サーバを用いた大規模なシステム構成ではなく、建物毎の小規模なシステム構成に適する。
【００９９】
また、端末装置５は、携帯端末であることが好ましい。この場合、建物１００から外出したユーザが、建物１００内の就寝行動を容易に確認することができる。
【０１００】
また、上述の各実施形態において就寝監視装置１または１Ａは、マイクロコンピュータ等で構成されたコンピュータを搭載しており、このコンピュータがプログラムを実行することによって、就寝監視装置の機能が実現されている。なお、就寝監視装置１または１Ａを構成するコンピュータとしては、プログラムに従って動作するプロセッサおよびインターフェースを主なハードウェア構成として備える。この種のプロセッサとしては、ＤＳＰ（Digital Signal Processor）、ＣＰＵ（Central Processing Unit）、ＭＰＵ（Micro-Processing Unit）等を含む。そして、プロセッサは、プログラムを実行することによって上述の就寝監視装置１または１Ａの機能を実現することができれば、その種類は問わない。
【０１０１】
また、プログラムの提供形態としては、コンピュータに読み取り可能なＲＯＭ（Read Only Memory）、光ディスク等の記録媒体に予め格納されている形態、インターネット等を含む広域通信網を介して記録媒体に供給される形態等がある。
【０１０２】
すなわち、プログラムは、コンピュータを、就寝監視装置１または１Ａとして機能させることを特徴とする。
【０１０３】
したがって、コンピュータを就寝監視装置１または１Ａとして機能させるプログラムも、上記同様の効果を奏し得る。すなわち、このプログラムは、消費電力に関する電力データを用いて、建物１００内の人の就寝行動を検知できる。
【０１０４】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【０１０５】
１（１Ａ）  就寝監視装置
１１  分析サーバ
１１１  通信部
１１２  電力情報取得部
１１３  基準記憶部
１１４  就寝判定部
１１５  履歴記憶部
１１６  基準データ生成部
１１７  推定部
１２  アプリケーションサーバ（アプリサーバ）
１２１  通信部
１２２  要求取得部
１２３  通知データ生成部
２  分電盤
２１  分岐部
３（３Ａ）  コントローラ
３１  電力データ生成部
３２  電力データ送信部
３３  機器監視部
４  管理サーバ
５  端末装置
６  電気機器
【図１】
0006418525.tif 000002
【図２】
0006418525.tif 000003
【図３】
0006418525.tif 000004
【図４】
0006418525.tif 000005
【図５】
0006418525.tif 000006
【図６】
0006418525.tif 000007
【図７】
0006418525.tif 000008